(57)【要約】【課題】  設備機器管理装置において作成される設備機器を管理するためのデータ（管理用データ）が重複ないし欠落する可能性を低減する。【解決手段】  ローカルコントローラ３は、ＣＰＵ３１と、オシレータ３５と、分周回路３４とを備え、空調装置１０の運転状態データを収集することにより空調装置１０を管理する。ＣＰＵ３１、オシレータ３５及び分周回路３４は、システム時刻を計時する。ＣＰＵ３１は、リアルタイムクロックの示すＲＴＣ時刻を取得し、システム時刻の連続性を維持しつつ、システム時刻とＲＴＣ時刻との誤差をなくすようにシステム時刻を時刻合わせする。【選択図】  図２
2007058705.tif 000002
【特許請求の範囲】
【請求項１】
設備機器（１０）の運転状態データを収集することにより前記設備機器（１０）を管理する設備機器管理装置（３，１０３）であって、
第１時刻を計時する計時手段（３１，３４，３５）と、
第２時刻を取得し、前記第１時刻の連続性を維持しつつ、前記第１時刻と前記第２時刻との誤差をなくすように前記第１時刻を時刻合わせする時刻合わせ手段（３１）と、
を備える、設備機器管理装置（３，１０３）。
【請求項２】
前記計時手段（３１，３４，３５）は、クロック信号を分周する分周回路（３４）を含み、
前記時刻合わせ手段（３１）は、前記分周回路（３４）の分周値を変更することにより、前記第１時刻の連続性を維持しつつ前記第１時刻を時刻合わせする、
請求項１に記載の設備機器管理装置（３，１０３）。
【請求項３】
前記時刻合わせ手段（３１）は、前記誤差が前記所定値よりも小さい場合には、前記第１時刻の連続性を維持しつつ前記第１時刻を時刻合わせし、前記誤差が前記所定値よりも大きい場合には、前記第１時刻を前記第２時刻に置換する、
請求項１又は２に記載の設備機器管理装置（３，１０３）。
【請求項４】
リアルタイムクロック（３３）、
をさらに備え、
前記時刻合わせ手段（３１）は、前記リアルタイムクロック（３３）から前記第２時刻を取得する、
請求項１から３のいずれかに記載の設備機器管理装置（３）。
【請求項５】
前記時刻合わせ手段（３１）は、前記設備機器（１０）を遠隔から管理する遠隔管理装置（４０）から第３時刻を取得し、前記第２時刻を前記第３時刻に置換する、
請求項４に記載の設備機器管理装置（３）。
【請求項６】
前記時刻合わせ手段（３１）は、前記設備機器（１０）を遠隔から管理する遠隔管理装置（４０）から前記第２時刻を取得する、
請求項１から３のいずれかに記載の設備機器管理装置（１０３）。
【発明の詳細な説明】
【技術分野】
【０００１】
本発明は、設備機器の運転状態データを収集することにより設備機器を管理する設備機器管理装置に関する。
【背景技術】
【０００２】
近年、ビル等に設置される空調装置や照明器具等の設備機器は、その運転状態データを収集する設備機器管理装置により管理されることが多くなってきている。
このような設備機器管理装置に対応するものとして、特許文献１には、中央管理装置からの要求に応じて複数の設備機器を管理する端末装置が開示されている。この端末装置には、子時計が組み込まれている。さらに、この端末装置は、子時計の示す時刻に基づいて設備機器の運転状態データを収集し、設備機器を管理するためのデータ（以下、管理用データ）を作成している。そして、この子時計の示す時刻は、中央管理装置に組み込まれた親時計の時刻を基準として時刻合わせがされている。
【特許文献１】特開平８−９６２８５号公報
【発明の開示】
【発明が解決しようとする課題】
【０００３】
しかしながら、特許文献１のように、設備機器管理装置において子時計が親時計を基準として時刻合わせされる場合、以下のような不具合が生じる恐れがある。
すなわち、子時計が親時計より進んでいた場合、子時計は、時刻合わせされる際に親時計が示していた時刻まで戻されることになる。こうした場合において、時刻合わせされる際に親時計が示していた時刻から子時計が示していた時刻までの期間に、管理用データが作成されるべき時刻として予め設定されている時刻が含まれる場合、その時刻の管理用データが重複して作成される可能性がある。
【０００４】
逆に、子時計が親時計より遅れていた場合、子時計は、時刻合わせされる際に親時計が示していた時刻まで進められることになる。こうした場合において、時刻合わせされる際に子時計が示していた時刻から親時計が示していた時刻までの期間に、管理用データが作成されるべき時刻として予め設定されている時刻が含まれる場合、その時刻の管理用データが作成されずに欠落する可能性がある。
【０００５】
本発明は、上記課題に鑑みてなされたものであり、設備機器管理装置において作成される設備機器を管理するためのデータ（管理用データ）が重複ないし欠落する可能性を低減することを目的とする。
【課題を解決するための手段】
【０００６】
第１発明に係る設備機器管理装置は、計時手段と、時刻合わせ手段とを備え、設備機器の運転状態データを収集することにより設備機器を管理する。計時手段は、第１時刻を計時する。時刻合わせ手段は、第２時刻を取得し、第１時刻の連続性を維持しつつ、第１時刻と第２時刻との誤差をなくすように第１時刻を時刻合わせする。
この設備機器管理装置では、第１時刻が計時される。そして、第１時刻が第２時刻を基準として時刻合わせされる際に、第１時刻の連続性が維持される。このため、第１時刻に基づいて管理用データが作成される設備機器管理装置にあっては、管理用データが作成されるべき時刻として予め設定されている時刻について、重複も欠落もない管理用データが作成されることになる。これにより、この設備機器管理装置では、設備機器管理装置において作成される管理用データが重複ないし欠落する可能性を低減することができる。
【０００７】
第２発明に係る設備機器管理装置は、第１発明に係る設備機器管理装置であって、計時手段は、分周回路を含む。分周回路は、クロック信号を分周する。時刻合わせ手段は、分周回路の分周値を変更することにより、第１時刻の連続性を維持しつつ第１時刻を時刻合わせする。
この設備機器管理装置では、第１時刻が、設備機器管理装置の分周回路の分周値が変更されることにより時刻合わせされる。例えば、第１時刻が第２時刻よりも進んでいる場合には、分周値が大きくなるように変更され、第１時刻が第２時刻よりも遅れている場合には、分周値が小さくなるように変更される。この場合、第１時刻は、実時間よりも遅く又は速く進むことになる。これにより、この設備機器管理装置では、第１時刻の連続性を維持しつつ、第１時刻を時刻合わせすることができる。
【０００８】
第３発明に係る設備機器管理装置は、第１発明又は第２発明に係る設備機器管理装置であって、時刻合わせ手段は、誤差が所定値よりも小さい場合には、第１時刻の連続性を維持しつつ第１時刻を時刻合わせし、誤差が所定値よりも大きい場合には、第１時刻を第２時刻に置換する。
仮に、常に、第１時刻の連続性が維持されたまま、第１時刻が時刻合わせされるものとする。このとき、第１時刻に基づいて管理用データが作成される設備機器管理装置にあっては、第１時刻が第２時刻から大幅にずれている場合にも、第１時刻が直ちに第２時刻に置換されないため、管理用データに押されるタイムスタンプが大幅にずれてしまうといった状況が直ちに解消されないことになる。従って、設備機器が管理用データに基づいて適切に管理されなくなる可能性がある。
【０００９】
そこで、こうした状況を回避するため、この設備機器管理装置では、第１時刻と第２時刻との誤差が所定値よりも小さい場合には、第１時刻の連続性が維持されたまま第１時刻が時刻合わせされ、第１時刻と第２時刻との誤差が所定値よりも大きい場合には、第１時刻が第２時刻に置換されるようになっている。これにより、この設備機器管理装置では、管理用データに押されるタイムスタンプのずれを抑制しつつ、管理用データの重複ないし欠落の可能性を低減することができる。
【００１０】
第４発明に係る設備機器管理装置は、第１発明から第３発明のいずれかに係る設備機器管理装置であって、リアルタイムクロックをさらに備える。時刻合わせ手段は、リアルタイムクロックから第２時刻を取得する。
この設備機器管理装置では、第１時刻が、設備機器管理装置のリアルタイムクロックの示す第２時刻を基準として時刻合わせされる。これにより、この設備機器管理装置では、第１時刻をリアルタイムクロックの示す時刻と同程度の正確さに維持することができる。
【００１１】
第５発明に係る設備機器管理装置は、第４発明に係る設備機器管理装置であって、時刻合わせ手段は、設備機器を遠隔から管理する遠隔管理装置から第３時刻を取得し、第２時刻を第３時刻に置換する。
この設備機器管理装置では、第１時刻が、設備機器管理装置のリアルタイムクロックの示す第２時刻を基準として時刻合わせされ、さらに、第２時刻が、設備機器を遠隔から管理する遠隔管理装置から取得される第３時刻を基準として時刻合わせされる。これにより、この設備機器管理装置では、第１時刻を遠隔管理装置から送られてくる時刻と同程度の正確さに維持することができる。
【００１２】
第６発明に係る設備機器管理装置は、第１発明から第３発明のいずれかに係る設備機器管理装置であって、時刻合わせ手段は、設備機器を遠隔から管理する遠隔管理装置から第２時刻を取得する。
この設備機器管理装置では、第１時刻が、設備機器を遠隔から管理する遠隔管理装置から取得される第２時刻を基準として時刻合わせされる。これにより、この設備機器管理装置では、第１時刻を遠隔管理装置から送られてくる時刻と同程度の正確さに維持することができる。
【発明の効果】
【００１３】
第１発明に係る設備機器管理装置では、第１時刻が計時される。そして、第１時刻が第２時刻を基準として時刻合わせされる際に、第１時刻の連続性が維持される。このため、第１時刻に基づいて管理用データが作成される設備機器管理装置にあっては、管理用データが作成されるべき時刻として予め設定されている時刻について、重複も欠落もない管理用データが作成されることになる。これにより、この設備機器管理装置では、設備機器管理装置において作成される管理用データが重複ないし欠落する可能性を低減することができる。
【００１４】
第２発明に係る設備機器管理装置では、第１時刻が、設備機器管理装置の分周回路の分周値が変更されることにより時刻合わせされる。この場合、第１時刻は、実時間よりも遅く又は速く進むことになる。これにより、この設備機器管理装置では、第１時刻の連続性を維持しつつ、第１時刻を時刻合わせすることができる。
第３発明に係る設備機器管理装置では、第１時刻と第２時刻との誤差が所定値よりも小さい場合には、第１時刻の連続性が維持されたまま第１時刻が時刻合わせされ、第１時刻と第２時刻との誤差が所定値よりも大きい場合には、第１時刻が第２時刻に置換される。これにより、この設備機器管理装置では、管理用データに押されるタイムスタンプのずれを抑制しつつ、管理用データの重複ないし欠落の可能性を低減することができる。
【００１５】
第４発明に係る設備機器管理装置では、第１時刻が、設備機器管理装置のリアルタイムクロックの示す第２時刻を基準として時刻合わせされる。これにより、この設備機器管理装置では、第１時刻をリアルタイムクロックの示す時刻と同程度の正確さに維持することができる。
第５発明に係る設備機器管理装置では、第１時刻が、設備機器管理装置のリアルタイムクロックの示す第２時刻を基準として時刻合わせされ、さらに、第２時刻が、設備機器を遠隔から管理する遠隔管理装置から取得される第３時刻を基準として時刻合わせされる。これにより、この設備機器管理装置では、第１時刻を遠隔管理装置から送られてくる時刻と同程度の正確さに維持することができる。
【００１６】
第６発明に係る設備機器管理装置では、第１時刻が、設備機器を遠隔から管理する遠隔管理装置から取得される第２時刻を基準として時刻合わせされる。これにより、この設備機器管理装置では、第１時刻を遠隔管理装置から送られてくる時刻と同程度の正確さに維持することができる。
【発明を実施するための最良の形態】
【００１７】
＜第１実施形態＞
図１に、第１実施形態に係るローカルコントローラ３（設備機器管理装置）が含まれる空調装置１０の遠隔管理システム１を示す。
（遠隔管理システム１の構成）
遠隔管理システム１は、複数の物件２のそれぞれに設置される複数のローカルコントローラ３と、複数の物件２の遠隔に存在する遠隔管理センター４に設置される遠隔管理装置４０とを含み、複数の物件２のそれぞれに設置される複数の空調装置１０を管理している。そして、複数のローカルコントローラ３と遠隔管理装置４０とは、インターネット５を介して接続されている。以下、簡単のために、単数の物件に設置される単数の空調装置１０が単数のローカルコントローラ３により管理される様子を説明するが、実際には、複数の物件２のそれぞれに設置される複数の空調装置１０が複数のローカルコントローラ３により管理されるものとする。
【００１８】
ローカルコントローラ３は、空調装置１０から空調装置１０の運転状態データを所定の間隔（第１実施形態では、３０分）で収集することにより、空調装置１０を管理している。ローカルコントローラ３は、空調装置１０の運転状態データに基づいて、空調装置１０の管理用データを作成する。そして、ローカルコントローラ３は、１日１回、１日分の管理用データを含む日報データをインターネット５を介して遠隔管理装置４０に送信する。一方、遠隔管理装置４０は、ローカルコントローラ３から送信されてくる日報データに基づいて、空調装置１０を遠隔から管理している。
【００１９】
〔空調装置１０の構成〕
空調装置１０は、複数の室外ユニット１１と、複数の室外ユニット１１のそれぞれに冷媒連絡配管１３を介して接続される複数の室内ユニット１２とから構成される。また、複数の室外ユニット１１と複数の室内ユニット１２とは、図示されない通信線により接続されており、協調動作しながら複数の室内ユニット１２が設置される室内を空気調和している。以下、簡単のために、空調装置１０が単数の室外ユニット１１と単数の室内ユニット１２とにより管理される様子を説明するが、実際には、複数の室外ユニット１１と複数の室内ユニット１２とが存在しているものとする。
【００２０】
室外ユニット１１及び室内ユニット１２には、室外ユニット１１及び室内ユニット１２の各部の運転状態を計測する様々なセンサが取り付けられている。これらのセンサには、例えば、室外ユニット１１に取り付けられているものとしては、圧縮機の吸入圧力を検出する吸入圧力センサ、圧縮機の吐出圧力を検出する吐出圧力センサ、圧縮機の吸入管における温度を検出する吸入温度センサ、吐出管における温度を検出する吐出温度センサ、室外側熱交換器を流れる冷媒の温度を検出する熱交温度センサ、室外の温度を検出する室外温度センサなどがあり、室内ユニットに取り付けられているものとしては、室内側熱交換器の液側の冷媒の温度を検出する液側温度センサ、室内側熱交換器のガス側の冷媒の温度を検出するガス側温度センサ、室内ユニット１２が設置される室内の室温を検出する室温温度センサなどがある。
【００２１】
〔ローカルコントローラ３の構成〕
図２に、ローカルコントローラ３の構成を示す。
ローカルコントローラ３は、ＣＰＵ３１と、記憶部３２と、リアルタイムクロック（以下、ＲＴＣ）３３と、分周回路３４と、オシレータ３５と、第１通信部３６と、第２通信部３７とを含む。
【００２２】
ＣＰＵ３１は、内蔵される制御プログラムに従ってローカルコントローラ３を制御する。
第１通信部３６は、インターネット５に接続される。これにより、ローカルコントローラ３は、同じくインターネット５に接続される遠隔管理センター４の遠隔管理装置４０と通信できるようになっている。第２通信部３７は、空調装置１０に接続される。これにより、ローカルコントローラ３は、空調装置１０から空調装置１０の運転状態データを収集することができるようになっている。そして、ＣＰＵ３１は、空調装置１０から収集された運転状態データに基づいて管理用データを作成する。この管理用データは、記憶部３２に記憶される。
【００２３】
また、ＣＰＵ３１は、ローカルコントローラ３の起動時に、ＲＴＣ３３からＲＴＣ３３の示す時刻（以下、ＲＴＣ時刻）を取得する。ＲＴＣ３３は、ローカルコントローラ３の主電源が切られている間も、ローカルコントローラ３の内蔵電池から電力供給を受けてＲＴＣ時刻を計時する。
オシレータ３５は、ローカルコントローラ３の起動中、水晶発振により所定の周波数のクロック信号を継続的に生成する。このクロック信号は、分周回路３４に入力される。分周回路３４は、このクロック信号を所定の分周値で分周することにより、所定の時間単位（第１実施形態においては、０．１秒）を生成し、０．１秒が生成される度にＣＰＵ３１に割り込みをかける。ＣＰＵ３１は、分周回路３４からの割り込みの回数を積算してローカルコントローラ３の起動時刻からの経過時間を算出し、算出された経過時間を起動時にＲＴＣ３３から取得したＲＴＣ時刻に足し合わせることにより、システム時刻を計時する。
【００２４】
（空調装置１０の管理動作）
ローカルコントローラ３は、３０分間隔で第２通信部を介して空調装置１０にアクセスし、空調装置１０の運転状態データを収集するようにプログラムされている。ローカルコントローラ３により収集される空調装置１０の運転状態データには、室外ユニット１１及び室内ユニット１２に取り付けられた各センサの値や室外ユニット１１及び室内ユニット１２の電源のオンオフの記録などが含まれる。
【００２５】
ＣＰＵ３１は、３０分間隔で空調装置１０の運転状態データが収集される度に、収集された運転状態データに基づいて、遠隔管理装置４０に送信する管理用データを作成する。そして、ＣＰＵ３１により作成された管理用データは、記憶部３２に記憶される。管理用データには、室外ユニット１１及び室内ユニット１２の運転時間や室外ユニット１１及び室内ユニット１２に取り付けられた各センサの値の最大値及び最小値が含まれる。また、管理用データには、例えば、空調装置１０の冷凍サイクルにおける過冷却度や過熱度のような、空調装置１０に取り付けられた各センサの値に基づいて計算されるパラメータの最大値及び最小値も含まれる。
【００２６】
そして、ローカルコントローラ３は、１日１回、１日分の管理用データと図４を参照して後述されるシステム時刻の置換履歴とをまとめて日報データを作成し、遠隔管理センター４の遠隔管理装置４０に送信する。これにより、遠隔管理センター４では、日報データに基づいて空調装置１０における異常の検出が行われたり、空調装置１０の利用状況を示す報告書が作成されたりする。
【００２７】
（システム時刻の時刻合わせ処理）
オシレータ３５、分周回路３４及びＣＰＵ３１により計時されるシステム時刻は、２段階の時刻合わせがなされる。まず、ＲＴＣ時刻が、遠隔管理装置４０からローカルコントローラ３に送られてくる現在時刻に基づいて、１日１回時刻合わせされる。そして、システム時刻が、１日１回時刻合わせされるＲＴＣ時刻に基づいて、所定の間隔（第１実施形態では、１５分）で時刻合わせされる。以下、ローカルコントローラ３において、システム時刻が時刻合わせされる様子を具体的に説明する。
【００２８】
まず、ローカルコントローラ３は、１日１回、インターネット５を介して遠隔管理センター４の遠隔管理装置４０と通信する。このとき、ローカルコントローラ３は、１日分の管理用データを含む日報データを遠隔管理装置４０に送信するとともに、遠隔管理装置４０から現在時刻を取得する。さらに、このとき、ＣＰＵ３１は、ＲＴＣ３３が示すＲＴＣ時刻を遠隔管理装置４０から取得した現在時刻と置換する。
【００２９】
また、ローカルコントローラ３では、１５分間隔で、図３に示されるフローチャートが実行される。
ステップＳ３１では、ＣＰＵ３１は、ＲＴＣ３３からＲＴＣ時刻を取得する。そして、ＲＴＣ３３から取得されたＲＴＣ時刻は、記憶部３２に記憶される。
次に、ステップＳ３２では、ＣＰＵ３１は、システム時刻とＲＴＣ時刻とを比較する。そして、システム時刻とＲＴＣ時刻との誤差が所定値（第１実施形態では、ローカルコントローラ３が空調装置１０にアクセスする間隔（３０分）の５％に対応する９０秒）よりも大きいか否かを判定する。大きいと判定された場合には、システム時刻をＲＴＣ時刻に置換する時刻置換処理ルーチンに進む。小さいと判定された場合には、分周回路３４の分周値を変更する分周値変更処理ルーチンに進む。なお、誤差が所定値よりも小さい場合には、誤差が全く生じていない場合が含まれるものとする。
そして、時刻置換処理ルーチン又は分周値変更ルーチンが終了すると、図３のフローチャートが終了する。
【００３０】
〔時刻置換処理ルーチンの詳細〕
次に、図４を参照して、システム時刻をＲＴＣ時刻に置換する時刻置換処理ルーチンの詳細を説明する。このルーチンは、図３のフローチャートのステップＳ３２において、システム時刻とＲＴＣ時刻との誤差が所定値よりも大きいと判定された場合に実行される。
【００３１】
ステップＳ４１では、ＣＰＵ３１は、システム時刻をＲＴＣ時刻に置換する。
次に、ステップＳ４２では、ＣＰＵ３１は、システム時刻の置換前の値と置換後の値とを含むシステム時刻の置換履歴を作成する。このシステム時刻の置換履歴は、記憶部３２に記憶される。
なお、ＣＰＵ３１が遠隔管理装置４０に送信する日報データには、１日分の管理用データだけでなく、ステップＳ４２で作成されるシステム時刻の置換履歴も含まれる。これにより、遠隔管理装置４０は、時刻置換処理ルーチンが実行されたことによりシステム時刻が不連続に時刻合わせされた場合にもそのことを認識することができ、システム時刻が不連続に時刻合わせされたことにより生じる不具合を状況に応じて適切に処理することができる。
【００３２】
〔分周値変更処理ルーチンの詳細〕
次に、図５を参照して、分周回路３４の分周値を変更する分周値変更処理ルーチンの詳細を説明する。このルーチンは、図３のフローチャートのステップＳ３２において、システム時刻とＲＴＣ時刻との誤差が所定値よりも小さいと判定された場合に実行される。
ステップＳ５１において、ＣＰＵ３１は、システム時刻とＲＴＣ時刻との誤差を算出する。ここで、誤差が全く生じていない場合には、ステップＳ５２ｂに進み、誤差が生じている場合には、ステップＳ５２ａに進む。
【００３３】
ステップＳ５２ａでは、ＣＰＵ３１は、図３のフローチャートが前回実行された際にステップＳ３１において取得されたＲＴＣ時刻（以下、前回のＲＴＣ時刻）と、現在実行中の図３のフローチャートのステップＳ３１において取得されたＲＴＣ時刻（以下、今回のＲＴＣ時刻）とを記憶部３２から読み出す。そして、読み出された前回のＲＴＣ時刻と今回のＲＴＣ時刻とに基づいて、図３のフローチャートが前回実行されてから今回実行されるまでの経過時間を算出する。なお、図３のフローチャートが前回実行されてから今回実行されるまでの経過時間は、システム時刻を基準として計測される場合には１５分となる。しかしながら、ステップＳ５２ａにおいて算出される経過時間は、ＲＴＣ時刻に基づいて計測される時間であるため、おおよそ１５分となるが誤差を含むことになる。ステップＳ５２ａが終了すると、ステップＳ５３に進む。
【００３４】
次に、ステップＳ５３において、ＣＰＵ３１は、記憶部３２に記憶される分周値の変更履歴を参照して、現在の分周値を読み出す。ステップＳ５３が終了すると、ステップＳ５４に進む。
次に、ステップＳ５４において、ＣＰＵ３１は、ステップＳ５１において算出された誤差がなくなるように、分周回路３４の分周値を決定する。
【００３５】
具体的には、ステップＳ５１において算出された誤差と、ステップＳ５２ａにおいて算出された経過時間と、ステップＳ５３において読み出された現在の分周値とに基づいて、分周回路３４の分周値を決定する。一般的に、経過時間と分周値とは比例関係にある。ここでは、このことを利用して、ステップＳ５１において算出された誤差がなくなるように、具体的な分周回路３４の分周値が決定される。このとき、システム時刻がＲＴＣ時刻よりも進んでいた場合には、分周値が現在の分周値よりも大きくなるように、システム時刻がＲＴＣ時刻よりよりも遅れていた場合には、分周値が現在の分周値よりも小さくなるように決定される。ステップＳ５４が終了すると、ステップＳ５５に進む。
【００３６】
次に、ステップＳ５５において、ＣＰＵ３１は、分周回路３４の分周値をステップＳ５４において決定された分周値に変更する。そして、ＣＰＵ３１は、分周値を変更したことを記憶部３２に分周値の変更履歴として記憶する。ステップＳ５５が終了すると、図５のフローチャートも終了する。
一方、ステップＳ５２ｂでは、ＣＰＵ３１は、分周回路３４の分周値をリセットする。ここで、分周値をリセットするとは、図３のフローチャートが前回実行された際に分周値が変更されたことにより現在の分周値が基本の分周値とずれている場合に、その分周値を基本の値に戻すことをいう。また、分周値の基本の値とは、分周回路３４に入力されるクロック信号の周波数に分周回路３４がＣＰＵ３１に割り込みをかける間隔（０．１秒）を乗じた値である。そして、ＣＰＵ３１は、分周値を基本の値に戻す処理を行った場合には、その旨を記憶部３２に分周値の変更履歴として記憶する。
【００３７】
（特徴）
〔１〕
ローカルコントローラ３では、分周回路３４の分周値を変更することが可能になっている。ローカルコントローラ３において計時されるシステム時刻は、分周回路３４の分周値が大きく又は小さくなるように変更された場合、実時間よりも遅く又は速く進むことになる。このため、システム時刻は、その連続性が維持されたまま、ＲＴＣ時刻を基準として時刻合わせされることが可能になっている。これにより、システム時刻に基づいて作成される管理用データは、管理用データが作成されるべき時刻として予め設定されている時刻について、重複や欠落が生じにくくなっている。
【００３８】
〔２〕
ローカルコントローラ３において計時されるシステム時刻は、システム時刻とＲＴＣ時刻との誤差が所定値よりも小さい場合には、連続性が維持されたまま時刻合わせされ、システム時刻とＲＴＣ時刻との誤差が所定値よりも大きい場合には、ＲＴＣ時刻に置換されることにより不連続に時刻合わせされるようになっている。そして、ローカルコントローラ３は、ＲＴＣ時刻に置換されることにより不連続に時刻合わせされる場合には、その置換の内容を示すデータをシステム時刻の置換履歴として記憶しておき、日報データとして遠隔管理装置４０に送信する。これにより、遠隔管理装置４０は、システム時刻が不連続に時刻合わせされたために管理用データが重複又は欠落しているかもしれないことを認識することができる。従って、遠隔管理装置４０は、システム時刻が不連続に時刻合わせされたことによる不具合を適切に処理することができる。
【００３９】
〔３〕
ローカルコントローラ３において計時されるシステム時刻は、２段階の時刻合わせがされる。まず、ＲＴＣ時刻が、遠隔管理装置４０からローカルコントローラ３に送られてくる現在時刻に基づいて、１日１回時刻合わせされる。そして、システム時刻が、１日１回時刻合わせされるＲＴＣ時刻に基づいて、１５分間隔で時刻合わせされる。これにより、ローカルコントローラ３では、システム時刻を遠隔管理センター４で管理される現在時刻と同程度の正確さに維持することができる。
【００４０】
＜第２実施形態＞
第２実施形態に係るローカルコントローラ１０３は、第１実施形態に係るローカルコントローラ３と、システム時刻の時刻合わせ処理を除き、同様である。従って、ここでは、第２実施形態に係るローカルコントローラ１０３におけるシステム時刻の時刻合わせ処理についてのみ説明する。
【００４１】
（システム時刻の時刻合わせ処理）
ローカルコントローラ１０３において計時されるシステム時刻は、遠隔管理装置４０からローカルコントローラ１０３に送られてくる現在時刻に基づいて１日１回時刻合わせされる。以下、ローカルコントローラ１０３において、システム時刻が時刻合わせされる様子を具体的に説明する。
【００４２】
ローカルコントローラ１０３では、１日１回、図６に示されるフローチャートが実行される。
ステップＳ６１において、ローカルコントローラ１０３は、１日１回、インターネット５を介して遠隔管理センター４の遠隔管理装置４０と通信する。このとき、ローカルコントローラ１０３は、日報データを遠隔管理装置４０に送信するとともに、遠隔管理装置４０から現在時刻を取得する。
【００４３】
次に、ステップＳ６２において、ＣＰＵ３１は、システム時刻とステップＳ６１において取得された現在時刻とを比較する。ステップＳ６２における処理は、ＲＴＣ時刻をステップＳ６１において取得された現在時刻と読み替えることにより、図３のフローチャートのステップＳ３２の処理と同様になるため、ここでは、詳細な説明を省略する。
また、図６に示されるように、第２実施形態においても、第１実施形態と同様に、時刻置換処理ルーチン又は分周値変更ルーチンが実行される。第２実施形態において実行される時刻置換処理ルーチン及び分周値変更ルーチンは、適宜、ＲＴＣ時刻をステップＳ６１において取得された現在時刻と、図３のフローチャートを図６のフローチャートと、及び１５分を１日と読み替えることにより、それぞれ第１実施形態について図４、図５を参照して説明された時刻置換処理ルーチン及び分周値変更ルーチンと同様となるため、ここでは、詳細な説明を省略する。
【００４４】
そして、時刻置換処理ルーチン又は分周値変更ルーチンが終了すると、ローカルコントローラ１０３において１日１回実行される時刻合わせ処理が終了する。
（特徴）
ローカルコントローラ１０３において計時されるシステム時刻は、遠隔管理装置４０からローカルコントローラ１０３に送られてくる現在時刻に基づいて１日１回時刻合わせされる。これにより、ローカルコントローラ１０３では、システム時刻を遠隔管理センター４で管理される現在時刻と同程度の正確さに維持することができる。
【００４５】
＜変形例＞
（１）
上記各実施形態では、ローカルコントローラ３，１０３と遠隔管理装置４０とがインターネット５を介して接続されるが、例えば、公衆回線など、遠隔にある機器同士の通信を可能にする任意のネットワークを介して接続されてもよい。
【００４６】
（２）
上記各実施形態では、ローカルコントローラ３，１０３により空調装置１０が管理されているが、この態様に限定されない。本発明は、例えば、照明装置など、空調装置以外の任意の設備機器を管理する設備機器管理装置に適用され得る。
【産業上の利用可能性】
【００４７】
本発明は、設備機器管理装置において作成される管理用データが重複ないし欠落する可能性が低減されるという効果を有し、設備機器の運転状態データを収集することにより設備機器を管理する設備機器管理装置として有用である。
【図面の簡単な説明】
【００４８】
【図１】本発明に係るローカルコントローラが含まれる空調装置の遠隔管理システムの構成を示すブロック図。
【図２】本発明に係るローカルコントローラの構成を示すブロック図。
【図３】第１実施形態に係るローカルコントローラにおいて１５分間隔で実行される時刻合わせ処理を示すフローチャート。
【図４】時刻置換処理ルーチンを示すフローチャート。
【図５】分周値変更処理ルーチンを示すフローチャート。
【図６】第２実施形態に係るローカルコントローラにおいて１日１回実行される時刻合わせ処理を示すフローチャート。
【符号の説明】
【００４９】
３，１０３  ローカルコントローラ（設備機器管理装置）
１０  空調装置（設備機器）
３１  ＣＰＵ
３３  リアルタイムクロック
３４  分周回路
３５  オシレータ
４０  遠隔管理装置
【図１】
2007058705.tif 000003
【図２】
2007058705.tif 000004
【図３】
2007058705.tif 000005
【図４】
2007058705.tif 000006
【図５】
2007058705.tif 000007
【図６】
2007058705.tif 000008